【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示可能な可変表示手段を備え、あらかじめ定められている可変表示の実行条件が成立した後、可変表示の開始条件の成立にもとづいて前記可変表示の実行条件が成立した順番に従って複数種類の識別情報の可変表示を開始し、当該複数種類の識別情報の可変表示の表示結果が特定表示結果となったときに遊技者にとって有利な特定遊技状態に制御可能となる遊技機であって、
前記表示結果をその導出表示以前に前記特定表示結果とするか否かを決定する表示結果事前決定手段と、
該表示結果事前決定手段が表示結果を前記特定表示結果とすることを決定したときに、前記可変表示装置に前記特定表示結果が表示された後に遊技状態を前記特定遊技状態に制御する特定遊技状態制御手段と、
前記実行条件が成立した後、未だ前記開始条件の成立していない可変表示の実行を所定の保留上限数を限度に記憶する保留記憶手段と、
あらかじめ定められた特別の条件が成立したときに、前記特定遊技状態終了後に該特定遊技状態と異なり遊技者に不利な通常遊技状態に制御されているときに比べ識別情報の可変表示の表示結果が前記特定表示結果となり易い特別遊技状態に遊技状態を制御し、識別情報の可変表示があらかじめ定められた特別回数に達したときに、前記特別遊技状態を終了して前記通常遊技状態に遊技状態を制御する特別遊技状態制御手段と、
前記保留記憶手段に保留記憶されている可変表示の実行により前記特定表示結果が導出表示されるか否かを判定する判定手段と、
該判定手段により前記特定表示結果が導出表示されると判定されたか否かに応じて異なる確率で、該判定された可変表示が実行される以前に複数回の可変表示に亘って継続的に予告演出を実行することを決定する予告決定手段と、
前記特別遊技状態と前記通常遊技状態とで前記予告演出の演出態様が異なる演出モードを選択する演出モード選択手段と、
前記予告決定手段により予告演出を実行することが決定されたときに、あらかじめ定められている複数の予告演出の演出態様のうちから、前記演出モード選択手段によって選択された演出モードに対応した演出態様に従って前記予告演出を実行する予告演出実行手段と、
前記特別遊技状態に制御されているときに、前記特別遊技状態が終了するまでの残り回数が前記判定手段による判定の対象となる前記保留上限数以下であるときは、新たな予告演出の実行開始を禁止する予告演出実行禁止手段と、を備え、
さらに、前記予告演出実行手段により前記予告演出が実行されているときに、新たな予告演出の実行開始を禁止する
ことを特徴とする遊技機。
【請求項２】
遊技の進行を制御する遊技制御手段と、
前記遊技制御手段からの制御情報にもとづいて、遊技演出の実行を制御する演出制御手段とを備え、
前記遊技制御手段は、予告決定手段と、該予告決定手段の決定結果を示す予告実行制御情報を前記演出制御手段に対して送信する予告実行制御情報送信手段とを含み、
前記演出制御手段は、
予告演出実行手段を含み、
受信した前記予告実行制御情報にもとづいて選択された演出モードに対応した演出態様を選択し、選択された演出態様で予告演出を実行する
請求項１記載の遊技機。
【請求項３】
遊技制御手段は、特別遊技状態制御手段と、特別遊技状態への制御が開始されたことを示す特別遊技状態開始制御情報を送信する特別開始制御情報送信手段とを含み、
演出制御手段は、
前記特別遊技状態開始制御情報を受信したことにより、特別遊技状態が開始されたあとに識別情報の可変表示が特別回数実行されたか否かを判定するために用いられる特別判定用回数の初期値を設定し、識別情報の可変表示が実行される毎に前記特別判定用回数を更新する特別判定用回数計数手段と、
前記特別判定用回数計数手段の計数結果にもとづいて、特別遊技状態中であるか否かを判定する特別遊技状態判定手段とを含む
請求項２記載の遊技機。
【請求項４】
遊技制御手段は、特別遊技状態制御手段と、識別情報の可変表示の開始毎に遊技状態を示す状態制御情報を送信する状態制御情報送信手段とを有し、
演出制御手段は、受信した状態制御情報にもとづいて、特別遊技状態中であるか否かを判定する特別遊技状態判定手段を含む
請求項２記載の遊技機。
【請求項５】
保留記憶手段に記憶されている可変表示のそれぞれに対応して個別にあらかじめ定められた保留表示を行う保留表示手段と、
前記保留表示が所定の保留表示態様で表示されるように制御する保留表示制御手段と、をさらに備え、
予告演出実行手段は、特別遊技状態において、判定手段によって特定表示結果が導出表示されると判定された可変表示に対応する保留表示を特別の保留表示態様で表示させることで予告演出を実行する
請求項１から請求項４のうちいずれか１項に記載の遊技機。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
本発明による遊技機は、各々を識別可能な複数種類の識別情報を可変表示可能な可変表示手段（例えば可変表示装置９）を備え、あらかじめ定められている可変表示の実行条件（例えば始動入賞：始動入賞口１４への遊技球の入賞）が成立した後、可変表示の開始条件（例えば、前回の特別図柄の可変表示および大当り遊技状態が終了し、かつ、始動入賞記憶数が０でないこと）の成立にもとづいて可変表示の実行条件が成立した順番に従って複数種類の識別情報の可変表示を開始し、当該複数種類の識別情報の可変表示の表示結果が特定表示結果（例えば左中右図柄が同一の図柄）となったときに遊技者にとって有利な特定遊技状態（例えば大当り遊技状態）に制御可能となる遊技機であって、表示結果をその導出表示以前に特定表示結果とするか否かを決定する表示結果事前決定手段（例えば遊技制御手段におけるステップＳ５６を実行する部分）と、表示結果事前決定手段が表示結果を特定表示結果とすることを決定したときに、可変表示装置に特定表示結果が表示された後に遊技状態を特定遊技状態に制御する特定遊技状態制御手段（例えば遊技制御手段におけるステップＳ３０５〜ステップＳ３０８）と、実行条件が成立した後、未だ開始条件の成立していない可変表示の実行を所定の保留上限数（例えば４個）を限度に記憶する保留記憶手段（例えば、遊技制御手段における始動口スイッチ通過処理のステップＳ１１１〜Ｓ１１４を実行する部分、特にステップＳ１１３の記憶数に応じた保存領域に保存する処理を実行する部分）と、あらかじめ定められた特別の条件（例えば、確変図柄で大当りとなりその大当り遊技演出が終了したこと、確変中に非確変大当りとなりその大当り遊技演出が終了したこと）が成立したときに、特定遊技状態終了後に該特定遊技状態と異なり遊技者に不利な通常遊技状態（例えば、遊技の進行状況に応じた遊技状態の変化などがなされていない遊技状態を意味する。なお、遊技者は、遊技状態が通常遊技状態から遊技者に有利な他の遊技状態に変化されることを期待しつつ遊技を行う。）に制御されているときに比べ識別情報の可変表示の表示結果が特定表示結果となり易い特別遊技状態（例えば、通常遊技状態と比較して大当りと判定される確率が高められた確変状態、通常遊技状態と比較して可変表示の演出時間が短縮され単位時間あたりの可変表示回数が高められた時短状態、通常遊技状態と比較して可変入賞球装置１５による開閉片の開閉動作の期間や回数が延長される開放延長状態）に遊技状態を制御し、識別情報の可変表示があらかじめ定められた特別回数に達したときに、特別遊技状態を終了して通常遊技状態に遊技状態を制御する特別遊技状態制御手段（例えば遊技制御手段における高確率時の判定テーブル（図９（Ａ）の右側のテーブル）を用いて大当り判定処理を実行する部分）と、保留記憶手段に保留記憶されている可変表示の実行により特定表示結果が導出表示されるか否かを判定する判定手段（例えば遊技制御手段におけるステップＳ２０３〜Ｓ２１０を実行する部分）と、判定手段により特定表示結果が導出表示されると判定されたか否かに応じて異なる確率（例えば、大当りと判定されたときは高確率で、はずれと判定されたときには低確率とすればよい）で、判定された可変表示が実行される以前に複数回の可変表示に亘って継続的に予告演出を実行することを決定する予告決定手段（例えば遊技制御手段におけるステップＳ２１１〜Ｓ２１５を実行する部分）と、特別遊技状態と通常遊技状態とで予告演出の演出態様が異なる演出モード（例えば、確変時の背景図柄が表示される演出態様と、非確変時の背景図柄が表示される演出態様）を選択する演出モード選択手段（例えば演出制御手段におけるステップＳ８７７，ステップＳ８４５を実行する部分）と、予告決定手段により予告演出を実行することが決定されたときに、あらかじめ定められている複数の予告演出の演出態様のうちから、演出モード選択手段によって選択された演出モードに対応した演出態様（例えばステップＳ６３１〜Ｓ６３６にて選択された演出態様）に従って予告演出を実行する予告演出実行手段（例えば演出制御手段におけるステップＳ６３２，Ｓ６３５，Ｓ６３６を実行する部分）と、特別遊技状態に制御されているときに、特別遊技状態が終了するまでの残り回数（例えば、予告演出による予告の対象となる可変表示までの可変表示回数。具体的には、例えば１回〜１００回の何れかの回数。）が判定手段による判定の対象となる保留上限数以下であるときは、新たな予告演出の実行開始を禁止する予告演出実行禁止手段（例えば遊技制御手段における予告演出を行うことに決定するために実行される予告演出を実行するか否かの判定処理を実行しないようにするためにステップＳ２０３以降の処理を実行しないように制御する部分。あるいは、遊技制御手段における実行することに決定された予告演出を無効とするように制御する部分であってもよい。）と、を備え、さらに、予告演出実行手段により予告演出が実行されているときに、新たな予告演出の実行開始を禁止することを特徴とする。そのような構成によれば、予告演出の実行中に遊技状態が変化して予告演出の演出態様が変化したかのような誤解を遊技者に与えてしまうことを抑止することができ、遊技者の混乱を招くことを極力防止することができる。
【手続補正４】
【補正対象書類名】明細書
【補正対象項目名】００１４
【補正方法】削除
【補正の内容】